(57)【要約】【課題】デジタル放送では、字幕情報を付加情報として通常の映像信号と同時に放送している。現在、デジタル放送受信装置は、字幕情報を放送局が指定したままの形、すなわち画面下方向を下にして視聴者に提示している。しかしながら、視聴者が横になりながら番組を視聴すると、字幕はそのままであるために、視聴者は字幕を文字が９０度回転した状態で読まなければならず、困難を伴う。【解決手段】字幕の文字を視聴者の姿勢に合わせて回転させて表示する放送受信装置を提案する。本発明により、視聴者がいかなる姿勢で視聴していても、その姿勢にあわせて文字を回転させた字幕を提示することができ、結果として視聴者は常に読みやすい形で字幕を読むことができる。【選択図】図２
2006254020.tif 000002
【特許請求の範囲】
【請求項１】
放送信号を受信する受信部と、放送信号から字幕情報とそれ以外の情報を切り分けて抽出する字幕情報抽出部と、前記字幕情報抽出部からの字幕情報から字幕出力を生成する字幕出力生成部と、前記字幕情報抽出部からの字幕以外の信号と前記字幕出力生成部からの字幕を合成して画面に出力する出力部を備え、前記字幕出力生成部が、字幕の表示方向、字幕に含まれる文字のサイズおよび文字の角度の調整する機能を有することを特徴とする放送受信装置。
【請求項２】
字幕出力生成部による字幕の調整がユーザによる設定によることを特徴とする請求項１に記載の放送受信装置。
【請求項３】
視聴者の位置や姿勢を検出するセンサーを更に有し、前記センサーにより得られる視聴者の姿勢にしたがって、字幕出力生成部が字幕を制御することを特徴とする請求項１に記載の放送受信装置。
【請求項４】
前記センサーにより得られる視聴者の姿勢の傾きに従って、前記字幕出力生成部が字幕の文字を回転させることを特徴とする請求項３に記載の放送受信装置。
【請求項５】
字幕が必ず文字の方向から見て「上から下」もしくは「右から左」となるよう、前記字幕出力生成部が字幕の表示方向を調整することを特徴とする請求項４に記載の放送受信装置。
【請求項６】
前記姿勢センサーにより得られる視聴者と装置との距離に従って、字幕出力生成部が字幕の文字を拡大・縮小することを特徴とする請求項３に記載の放送受信装置。
【請求項７】
姿勢検出装置を備えたリモコンを有し、前記字幕出力生成部が、前記リモコンの傾きに応じて、字幕に含まれる文字を回転させることを特徴とする請求項１に記載の放送受信装置。
【請求項８】
字幕が必ず文字の方向から見て「上から下」もしくは「右から左」となるよう、前記字幕出力生成部が字幕の表示方向を調整することを特徴とする請求項７に記載の放送受信装置。
【請求項９】
前記リモコンと放送受信装置との距離に従って、字幕出力生成部が字幕の文字を拡大・縮小することを特徴とする請求項７に記載の放送受信装置。
【発明の詳細な説明】
【技術分野】
【０００１】
本発明は、字幕出力機能を有する放送受信装置に関するものである。
【背景技術】
【０００２】
デジタル放送では、字幕情報を付加情報として通常の映像信号と同時に放送している。現在、デジタル放送受信装置は、字幕情報を放送局が指定したままの形、すなわち画面下方向を下にして視聴者に提示している（例えば、特許文献１参照）。
【特許文献１】特開２００１−０２４９６３号公報
【発明の開示】
【発明が解決しようとする課題】
【０００３】
しかしながら、視聴者が横になりながら番組を視聴すると、字幕はそのままであるために、視聴者は字幕を文字が９０度回転した状態で読まなければならず、困難を伴う。
【０００４】
本発明は、視聴者が読みやすい形で字幕を提示することが可能な放送受信装置を提供することを目的とする。
【課題を解決するための手段】
【０００５】
上記問題を解決するために、字幕の文字を視聴者の姿勢に合わせて回転させて表示する放送受信装置を提案する。
【発明の効果】
【０００６】
本発明に係る放送受信装置によれば、視聴者が横になったり逆立ちしても、その姿勢にあわせて字幕の文字や文章の方向を調整するという方法を用いることにより、視聴者が読みやすい形で字幕を提示することができる。
【０００７】
また、視聴者が放送受信装置より離れても、その距離に応じて字幕の文字の大きさを調整することで、視聴者が読みやすい字幕を提示できるという効果を有する。
【発明を実施するための最良の形態】
【０００８】
（実施の形態１）
図１は、本発明の実施の形態１に係る放送受信装置を示す。放送受信装置は、放送を受信する受信部１０１、受信した放送信号から字幕情報とその他の信号を切り分けて抽出する字幕情報抽出部１０２、字幕を構成する文字を回転・拡大・縮小させる字幕出力生成部１０３、字幕と映像信号を合成して出力する出力部１０４、視聴者の位置および姿勢を検出するセンサー１０５を内蔵している。
【０００９】
次に、上記構成に従い、本発明の実施の形態１の字幕提示動作を、図２のフローチャートを用いて説明する。
【００１０】
伝送される放送信号は、受信部１０１で受信される。受信した信号のうち字幕情報は字幕情報抽出部１０２にて抽出される。抽出された字幕情報は字幕出力生成部１０３へ送られる。字幕出力生成部１０３は、センサー１０５より視聴者の位置姿勢情報を取得し（Ｓ２０１）、視聴者の姿勢の傾きに応じて字幕を構成する文字を回転させる（Ｓ２０２）。字幕が横書きであったとすると、文字を左方向に９０度回転させた場合は普通に縦書きとなるが、文字を右方向に９０度回転させた場合は、上下逆方向の縦書きとなる。これは、元の字幕が縦書きであった場合にも同様の問題が発生しうる。字幕出力生成部１０３は、このような状態になっているかどうかを判定し（Ｓ２０４）、字幕を前後反転させることで、字幕を正しく読めるようにする（Ｓ２０５）（図３）。さらに字幕出力生成部は、視聴者と放送受信装置の距離に応じて文字の大きさを調整する（Ｓ２０８）。出力部１０４は字幕と映像を合成して画面へと出力する。
【００１１】
（実施の形態２）
図４は、本発明の実施の形態２に係る放送受信装置を示す。放送受信装置は、放送を受信する受信部４０１、受信した放送信号から字幕情報とその他の信号を切り分けて抽出する字幕情報抽出部４０２、字幕を構成する文字を回転・拡大・縮小させる字幕出力生成部４０３、字幕と映像信号を合成して出力する出力部４０４、リモコン入力を受信するセンサー４０５、リモコンの位置姿勢情報を記憶するメモリ４０７を内蔵しており、またジャイロを内蔵したリモコン４０６が付属している。
【００１２】
次に、上記構成に従い、本発明の実施の形態２の字幕提示動作を説明する。リモコン４０６はジャイロを内蔵しており、自身の傾きを検出し、得られる傾き情報を放送受信装置本体へ送信することができる。本体は、センサー４０５でその傾き情報を受信し、リモコンの信号強度より得られるリモコンと本体の距離情報とあわせてメモリ４０７へ記憶する。
【００１３】
伝送される放送信号は、受信部４０１で受信される。受信した信号のうち字幕情報は字幕情報抽出部４０２にて抽出される。抽出された字幕情報は字幕出力生成部４０３へ送られる。字幕出力生成部４０３は、メモリ４０７より視聴者の位置姿勢情報を取得し、その情報に従って字幕を調整する。この調整方法は、実施の形態１の字幕出力生成部１０３において行われるものと同じである（図２）（図３）。出力部４０４は字幕と映像を合成して画面へと出力する。
【産業上の利用可能性】
【００１４】
本発明の放送受信装置は、字幕を視聴者に読みやすい形で提示でき、テレビジョン受像機などに有用である。
【図面の簡単な説明】
【００１５】
【図１】本発明の実施の形態１に係る放送受信装置の構成を示すブロック図
【図２】本発明の実施の形態１および２の字幕提示フローチャート
【図３】本発明の実施の形態１および２における画面表示を示す一例図
【図４】本発明の実施の形態２に係る放送受信装置の構成を示すブロック図
【符号の説明】
【００１６】
１０１、４０１    受信部
１０２、４０２    字幕情報抽出部
１０３、４０３    字幕出力生成部
１０４、４０４    出力部
１０５、４０５    センサー
４０６    リモコン
４０７    メモリ
【図１】
2006254020.tif 000003
【図２】
2006254020.tif 000004
【図３】
2006254020.tif 000005
【図４】
2006254020.tif 000006